(57)【要約】【課題】係止部と戸当たり部の距離を容易に可変調整することができる戸当たり付ストライクを提供する。【解決手段】扉木口に対面する開口枠５の内面７に固定され、扉木口から後退自在に突出するラッチボルトを受け入れ、ラッチボルトを係止して開扉規制する戸当たり付ストライク１００において、ラッチボルトを受け入れる方形状のストライク穴１１を備え、ストライク穴１１の一つの縦辺１３に係止部１５が不動に配置されて開口枠５に固定されるストライク板１７を具備する。ストライク板１７には、ストライク穴１１を挟み係止部１５と反対側に段部４９を突設する。段部４９には、突出面５１と平行な基板部５３に段部４９の段差方向に折り曲げられた戸当たり部５５を備え、戸当たり部５５を係止部１５に接近離反自在なＬ字状の戸当たり板５７を固定した。【選択図】      図１
2010084424.tif 000002
【特許請求の範囲】
【請求項１】
扉木口に対面する開口枠の内面に固定され、前記扉木口から後退自在に突出するラッチボルトを受け入れ、該ラッチボルトを係止して開扉規制する戸当たり付ストライクであって、
前記ラッチボルトを受け入れる方形状のストライク穴を備え該ストライク穴の一つの縦辺に係止部が不動に配置されて前記内面に固定されるストライク板を具備し、
該ストライク板には前記ストライク穴を挟み前記係止部と反対側に段部が突設され、
該段部には、突出面と平行な基板部に該段部の段差方向に折り曲げられた戸当たり部を備え該戸当たり部を前記係止部に接近離反自在なＬ字状の戸当たり板が、固定されたことを特徴とする戸当たり付ストライク。
【請求項２】
請求項１記載の戸当たり付ストライクであって、
前記係止部が、前記ストライク穴の一つの縦辺部であることを特徴とする戸当たり付ストライク。
【請求項３】
請求項１記載の戸当たり付ストライクであって、
前記係止部が、前記内面に凹設され前記ストライク板と一体固定されて覆われるトロヨケの側壁内面であることを特徴とする戸当たり付ストライク。
【請求項４】
請求項３記載の戸当たり付ストライクであって、
前記ストライク板に形成され前記ラッチボルトに非接触となる切欠部と、
基端部が前記トロヨケの側壁外面に固定されて前記ストライク板の前記切欠部に配置され閉扉時の前記ラッチボルトを前記トロヨケ内へ案内するとともに閉扉時の前記ラッチボルトが先端ガイド部に衝接することで該ラッチボルトの押圧方向に弾性変形可能な緩衝板と、
を具備したことを特徴とする戸当たり付ストライク。
【請求項５】
請求項１，２，３，４のいずれか１つに記載の戸当たり付ストライクであって、
前記戸当たり板の前記基板部に前記扉の開閉方向に沿う方向に長い少なくとも一対の長穴が上下に離間して穿設され、
それぞれの該長穴に通したネジが前記段部の突出面に螺合することで前記戸当たり板が前記段部に螺着されることを特徴とする戸当たり付ストライク。
【請求項６】
請求項１，２，３，４，５のいずれか１つに記載の戸当たり付ストライクであって、
前記戸当たり部の扉衝接面に緩衝部材が設けられたことを特徴とする戸当たり付ストライク。
【発明の詳細な説明】
【技術分野】
【０００１】
本発明は、ラッチボルトが突出する扉を備えた開口枠に設けられる戸当たり付ストライクに関する。
【背景技術】
【０００２】
錠装置に備えられる錠ボルトには、扉が風などで開かないように建物の開口枠（扉枠）に仮締め（係止）するラッチボルトがある。ラッチボルトは、錠箱内に内蔵した進退機構によって、扉の木口から進退される。進退機構は、扉表裏面に設けられたノブあるいはレバーハンドル等の操作部材から解錠操作力が入力されると、ラッチボルトを錠箱内へ後退させる。これにより、開口枠に設けられたストライクの係止部に対し、ラッチ係止が解除され、扉が開放可能となる。
【０００３】
ところで、ラッチボルトの進入するストライク板のストライク穴は、扉開閉方向のラッチボルト厚よりも大きく形成される。一般的に開口枠には戸当たりが設けられ、扉はこの戸当たりに当たり閉止される。この閉止状態で、ラッチボルトがストライク穴の係止部に係止して仮締めされるが、このときの戸当たりと係止部の距離によっては、閉止状態の扉にガタツキが生じたり、ラッチボルトがストライク穴に進入不能となったりする。
【０００４】
そこで、戸当たりの位置を可変可能としたものが特許文献１，２に開示されている。特許文献１に開示される戸当たり付きラッチ受は、ラッチ挿入凹部を有するラッチ受本体と、ラッチ挿通孔を有するラッチ受カバーと、ラッチ受本体とラッチ受カバーとの間に配される可動部材とからなり、可動部材の一側縁部を屈曲させて戸当たり支持部を形成し、これらを共に建物開口部にビス止めすることで、ラッチ受へのラッチの施錠時に、位置調整可能な戸当たりをドアに密接させてドアのガタ付き防止を図っている。
【０００５】
また、特許文献２に開示されるストライク部材は、開口枠に埋設されるストライクボックスと、開口枠の内面にねじ止めされるストライクプレートとからなり、ストライクプレートに戸当たり材位置決め部を設け、戸当たり材をこの戸当たり材位置決め部に支持させ、他の部分を開口枠にねじ止めして取付け、ラッチ部材嵌入部から戸当たり材位置決め部までの距離を、ストライクボックスの位置調整により移動することで、ラッチ部材を確実にストライク部材に嵌入させるよう図っている。
【特許文献１】実公平７−１１２５２号公報
【特許文献２】特許第３０５８８４７号公報
【発明の開示】
【発明が解決しようとする課題】
【０００６】
しかしながら、上記した従来のラッチ受やストライク部材は、ラッチボルトの係止部が、最表面に配設されるラッチ受カバーやストライクプレートと相対変位可能な別体のラッチ受本体やストライクボックスに配置されており、これら部材が同一の固定ビスによって共に開口枠へ固定されるため、例えば、厚みの異なる扉に交換するときや、厚みの異なる錠装置に交換するとき、固定ビスを緩めれば、全部材の固定が解除されてしまい、係止部と戸当たりの双方の位置が動き、係止部の位置、及び係止部と戸当たり間の距離を容易に可変調整することができない問題があった。その結果、厚みの異なる扉に交換するときや、厚みの異なる錠装置に交換するときにガタツキが生じ易く、静粛性の確保が不確実となることが予想された。
【０００７】
本発明は上記状況に鑑みてなされたもので、係止部と戸当たり部の距離を容易に可変調整することができる戸当たり付ストライクを提供し、もって、厚みの異なる扉や錠装置に交換するときの対応を容易にし、ガタツキをなくし、静粛性の向上を図ることを目的とする。
【課題を解決するための手段】
【０００８】
次に、上記の課題を解決するための手段を、実施の形態に対応する図面を参照して説明する。
本発明の請求項１記載の戸当たり付ストライクは、扉木口３に対面する開口枠５の内面７に固定され、前記扉木口３から後退自在に突出するラッチボルト９を受け入れ、該ラッチボルト９を係止して開扉規制する戸当たり付ストライク１００であって、
前記ラッチボルト９を受け入れる方形状のストライク穴１１を備え該ストライク穴１１の一つの縦辺１３に係止部１５が不動に配置されて前記内面７に固定されるストライク板１７を具備し、
該ストライク板１７には前記ストライク穴１１を挟み前記係止部１５と反対側に段部４９が突設され、
該段部４９には、突出面５１と平行な基板部５３に該段部４９の段差方向に折り曲げられた戸当たり部５５を備え該戸当たり部５５を前記係止部１５に接近離反自在なＬ字状の戸当たり板５７が、固定されたことを特徴とする。
【０００９】
この戸当たり付ストライクでは、ストライク板１７に、係止部１５が相対変位することなく、不動で配置されるので、ストライク板１７に対し摺動自在に戸当たり板５７を設けることで、開扉状態の開口枠表面から戸当たり板５７を固定解除及び再固定することにより、係止部１５を固定配置したまま戸当たり部５５のみを移動させ、簡素な構造で、係止部１５と戸当たり部５５の距離を容易に可変可能にできる。
【００１０】
請求項２記載の戸当たり付ストライクは、請求項１記載の戸当たり付ストライクであって、
前記係止部１５が、前記ストライク穴１１の一つの縦辺部１３ａであることを特徴とする。
【００１１】
この戸当たり付ストライクでは、ストライク穴１１に進入したラッチボルト９が、ストライク穴１１の一つの縦辺部１３ａに係止することとなり、他部材によらず、ストライク板１７のみによるラッチボルト９の係止が可能となる。
【００１２】
請求項３記載の戸当たり付ストライクは、請求項１記載の戸当たり付ストライクであって、
前記係止部１５Ａが、前記内面７に凹設され前記ストライク板１７Ａと一体固定されて覆われるトロヨケ１９の側壁内面２７ａであることを特徴とする。
【００１３】
この戸当たり付ストライクでは、トロヨケ１９とストライク板１７Ａが一体的に開口枠５の内面７に固定され、トロヨケ１９の側壁内面２７ａがストライク穴１１の一つの縦辺部１３ａと一致するか、若しくは一つの縦辺部１３ａよりも内側に配置されることで、ストライク穴１１に進入したラッチボルト９がトロヨケ１９の側壁内面２７ａに係止される。
【００１４】
請求項４記載の戸当たり付ストライクは、請求項３記載の戸当たり付ストライクであって、
前記ストライク板１７Ａに形成され前記ラッチボルト９に非接触となる切欠部７１と、
基端部７７が前記トロヨケ１９の側壁外面２７ｂに固定されて前記ストライク板１７Ａの前記切欠部７１に配置され閉扉時の前記ラッチボルト９を前記トロヨケ内へ案内するとともに閉扉時の前記ラッチボルト９が先端ガイド部７５に衝接することで該ラッチボルト９の押圧方向に弾性変形可能な緩衝板７３と、
を具備したことを特徴とする。
【００１５】
この戸当たり付ストライクでは、閉扉時に、扉木口３から突出したラッチボルト９が緩衝板７３に当たると、緩衝板７３がラッチボルト９の押圧方向に弾性変形し、衝突するラッチボルト９による衝撃が吸収・緩和される。弾性変形した緩衝板７３は、閉扉動作に伴うラッチボルト９の通過後、元の位置に復帰する。
【００１６】
請求項５記載の戸当たり付ストライクは、請求項１，２，３，４のいずれか１つに記載の戸当たり付ストライクであって、
前記戸当たり板５７の前記基板部５３に前記扉１の開閉方向に沿う方向に長い少なくとも一対の長穴６１が上下に離間して穿設され、
それぞれの該長穴６１に通したネジ６３が前記段部４９の突出面５１に螺合することで前記戸当たり板５７が前記段部４９に螺着されることを特徴とする。
【００１７】
この戸当たり付ストライクでは、段部４９の突出面５１に螺合するネジ６３が緩められると、このネジ６３に対し、長穴６１を介して戸当たり部５５が係止部１５に対して接近離反方向に移動可能となる。ネジ６３が締められることで、適宜な位置に移動された戸当たり板５７が段部４９の突出面５１に固定される。
【００１８】
請求項６記載の戸当たり付ストライクは、請求項１，２，３，４，５のいずれか１つに記載の戸当たり付ストライクであって、
前記戸当たり部５５の扉衝接面に緩衝部材６５が設けられたことを特徴とする。
【００１９】
この戸当たり付ストライクでは、扉１が勢いよく閉められると、閉扉方向の扉先端縁部６７が、戸当たり部５５との間に設けられた緩衝部材６５に衝接し、緩衝部材６５が弾性変形することにより、その衝撃が吸収される。
【発明の効果】
【００２０】
本発明に係る請求項１記載の戸当たり付ストライクによれば、ストライク穴の一つの縦辺に係止部を不動に配置するストライク板を備え、このストライク板にはストライク穴を挟み係止部と反対側に段部を突設し、戸当たり部を係止部に対し接近離反自在とする戸当たり板を段部に固定したので、係止部と戸当たり部の距離を、開扉状態の開口枠表面から戸当たり板を固定解除及び再固定することにより、容易に可変調整することができる。この結果、厚みの異なる扉に交換するときや、厚みの異なる錠装置に交換するときの対応を容易にし、ガタツキを生じなくして、静粛性を向上させることができる。
【００２１】
請求項２記載の戸当たり付ストライクによれば、係止部が、ストライク穴の一つの縦辺部であるので、ストライク穴に進入したラッチボルトが、ストライク穴の一つの縦辺部に係止することとなり、他部材によらず、ストライク板のみにより、簡素な構造で係止部を設けることができる。
【００２２】
請求項３記載の戸当たり付ストライクによれば、係止部が、開口枠に凹設されストライク板と一体固定されて覆われるトロヨケの側壁内面であるので、ストライク穴に進入したラッチボルトをトロヨケの側壁内面に係止し、係止強度を高めることができる。
【００２３】
請求項４記載の戸当たり付ストライクによれば、ストライク板に切欠部を形成し、基端部がトロヨケの側壁外面に固定されラッチボルトをトロヨケ内へ案内するとともにラッチボルトが先端ガイド部に衝接することでラッチボルトの押圧方向に弾性変形可能な緩衝板を、切欠部に配置したので、閉扉時に、扉木口から突出したラッチボルトが緩衝板に当たると、緩衝板がラッチボルトの押圧方向に弾性変形し、衝突するラッチボルトによる衝撃を緩和することができる。この結果、操作部材を操作しない閉扉時の静粛性を高めることができる。
【００２４】
請求項５記載の戸当たり付ストライクによれば、戸当たり板の基板部に扉の開閉方向に沿う方向に長い少なくとも一対の長穴を上下に離間して穿設し、それぞれの長穴に通したネジを段部の突出面に螺合して戸当たり板を段部に螺着したので、戸当たり板の係止部に対する接近離反移動及び段部に対する固定を簡素な構造で安価に実現できる。
【００２５】
請求項６記載の戸当たり付ストライクによれば、戸当たり部の扉衝接面に緩衝部材を設けたので、扉閉鎖時の衝撃を緩衝部材の弾性変形にて吸収し、衝撃音の発生を抑止して静粛性を高めることができる。
【発明を実施するための最良の形態】
【００２６】
以下、本発明に係る戸当たり付ストライクの好適な実施の形態について図面を参照して詳細に説明する。
図１は開口枠の内面に固定された本発明に係る戸当たり付ストライクの外観斜視図である。
本実施の形態による戸当たり付ストライク１００は、扉１（図３参照）の木口３（図３参照）に対面する開口枠５の内面７に固定され、扉木口３から後退自在に突出するラッチボルト９（図３参照）を受け入れ、ラッチボルト９を開口枠５に係止して扉１の開放（開扉）を規制する。
【００２７】
戸当たり付ストライク１００は、ラッチボルト９を受け入れる方形状のストライク穴１１を備え、このストライク穴１１の一つの縦辺１３に係止部１５が不動に配置されて、開口枠５の内面７に固定されるストライク板１７を備える。本実施の形態では、係止部１５が、ストライク穴１１の一つの縦辺部１３ａである。ストライク穴１１に進入したラッチボルト９が、ストライク穴１１の一つの縦辺部１３ａに係止することとなり、他部材によらず、ストライク板１７のみによるラッチボルト９の係止が可能となる。これにより、簡素な構造で係止部１５を設けることができる。
【００２８】
図２は図１に示した戸当たり付ストライクの分解斜視図、図３は戸当たり付ストライクのラッチボルト係止状態における要部平断面図である。
ストライク板１７の下側には、トロヨケ１９が開口枠５に固定される。トロヨケ１９は、底板２１と、上下壁部２３，２５と、一対の側壁２７，２９よりなるボルト挿入部３１を有する。ボルト挿入部３１は開口３３となって開放し、ストライク板１７のストライク穴１１と一致する。ボルト挿入部３１は、開口枠５の内面７を彫り込んで形成した凹部に挿入して凹んだ状態で設けられる。ボルト挿入部３１には開口３３を挟んで上下に鍔部３５，３５が延設され、鍔部３５，３５のそれぞれは固定穴３７を有する。ストライク板１７には固定穴３７に一致する一対の固定穴３９，３９が穿設される。ストライク板１７とトロヨケ１９は、これら固定穴３７，３９に挿通された木ネジ４１，４１（図１参照）によって開口枠５の内面７に一体に固定される。
【００２９】
ストライク板１７は、扉１の開閉方向に長い矩形状の金属板を、板金加工して形成される。ストライク板１７の扉衝接端には、端縁を開口枠５の内面７と直交する側面４３側に鈍角又はＲ形状で折り曲げた先端ガイド部４５が形成されている。閉扉時、ラッチボルト９は、この先端ガイド部４５に傾斜部９ａを衝接し、その反力によって錠箱４７内へ後退される。
【００３０】
ストライク板１７にはストライク穴１１を挟み、係止部１５と反対側に段部４９が突設され、段部４９はストライク板１７の上下を縦断して形成される。本実施の形態では、段部４９は、後端で再びストライク板１７と垂直に折り曲げられ、平断面視でコ字形状となっている。
【００３１】
段部４９には、突出面５１と平行な基板部５３に段部４９の段差方向に折り曲げられた戸当たり部５５を備え、この戸当たり部５５を係止部１５に接近離反自在なＬ字状の戸当たり板５７が、固定されている。
【００３２】
戸当たり板５７の基板部５３には扉１の開閉方向に沿う方向である横方向に長い少なくとも一対の長穴６１，６１が上下に離間して穿設される。それぞれの長穴６１，６１にはネジ６３，６３が挿通され、ネジ６３，６３は段部４９の突出面５１に形成されたネジ穴６５，６５に螺合する。これにより、戸当たり板５７は、段部４９に螺着されるようになっている。段部４９の突出面５１に螺合するネジ６３，６３が緩められると、このネジ６３，６３に対し、長穴６１，６１を介して戸当たり板５７が可動可能となり、戸当たり部５５が係止部１５に対して接近離反方向に移動される。ネジ６３，６３が締められることで、適宜な位置に移動された戸当たり板５７が段部４９の突出面５１に固定される。これにより、戸当たり板５７の係止部１５に対する接近離反移動及び段部４９に対する固定を簡素な構造で安価に実現している。
【００３３】
戸当たり部５５の扉衝接面には緩衝部材６５が設けられる。緩衝部材６５は、弾性材料を断面Ｕ字状として形成される。緩衝部材６５は、ゴム製部材、スポンジ状の帯体とすることができる。スポンジ状の帯体の材質としては、ラバースポンジ、発泡ポリエチレン、発泡ポリウレタンなどを用いることができる。扉１が勢いよく閉められると、図３に示すように、閉扉方向の扉先端縁部６７が、戸当たり部５５との間に設けられた緩衝部材６５に衝接し、緩衝部材６５が弾性変形することにより、その衝撃が吸収される。これにより、衝撃音の発生を抑止して静粛性が高められている。
【００３４】
次に、上記構成を有する戸当たり付ストライク１００の作用を説明する。
図４は係止部と戸当たり部の距離を短縮調整したときの要部平断面図である。
戸当たり付ストライク１００では、例えば図３に示す厚みＤ１の扉１が、それよりも薄い厚みＤ２（Ｄ１＞Ｄ２）の扉１Ａに交換された場合、通常であると、扉先端縁部６７と戸当たり部５５（実際には緩衝部材６５）との間に隙間Ｓが生じる（Ｓ＝Ｄ１−Ｄ２）。このような隙間Ｓが生じた場合、ネジ６３，６３が緩められ、可動自在となった戸当たり板５７を移動し、緩衝部材６５が扉先端縁部６７に当接する位置で、再びネジ６３，６３を締め付けて戸当たり板５７を固定する。これにより、係止部１５と戸当たり部５５までの距離Ｌ１が距離Ｌ２に短縮調整されてガタツキが生じないように調整される。
【００３５】
この戸当たり付ストライク１００では、ストライク板１７に、係止部１５が相対変位することなく、不動で配置されるので、ストライク板１７に対し摺動自在に戸当たり板５７を設けることで、扉１の開放状態において、開口枠５の表面で戸当たり板５７を固定解除及び再固定することにより、係止部１５を固定配置したまま、戸当たり部５５のみを移動させることができる。従来構造のように、固定ビスを緩めることにより、全部材の固定が解除されることがない。これにより、簡素な構造で、係止部１５と戸当たり部５５の距離を容易に可変可能にできる。
【００３６】
したがって、上記構成の戸当たり付ストライク１００によれば、ストライク穴１１の一つの縦辺１３に係止部１５を不動に配置するストライク板１７を備え、このストライク板１７にはストライク穴１１を挟み係止部１５と反対側に段部４９を突設し、戸当たり部５５を係止部１５に対し接近離反自在とする戸当たり板５７を段部４９に固定したので、係止部１５と戸当たり部５５の距離を、開扉状態の開口枠表面から戸当たり板５７を固定解除及び再固定することにより、容易に可変調整することができる。この結果、厚みの異なる扉１，１Ａに交換するときや、厚みの異なる錠装置に交換するときの対応を容易にし、ガタツキを生じなくして、静粛性を向上させることができる。
【００３７】
次に、本発明に係る戸当たり付ストライクの他の実施の形態を説明する。
図５は他の実施の形態による戸当たり付ストライクの外観斜視図、図６は図５に示した戸当たり付ストライクの分解斜視図、図７は図５に示した戸当たり付ストライクの要部平断面図である。なお、図１〜図４に示した部材と同一の部材には同一の符号を付し、重複する説明は省略する。
この実施の形態による戸当たり付ストライク１００Ａは、係止部１５Ａが、内面７に凹設されストライク板１７Ａと一体固定されて覆われるトロヨケ１９の側壁２７の内面２７ａとなっている。
【００３８】
トロヨケ１９とストライク板１７Ａが一体的に開口枠５の内面７に固定され、トロヨケ１９の側壁内面２７ａがストライク穴１１の一つの縦辺部１３ａと一致するか、若しくは一つの縦辺部１３ａよりも内側に配置されることで、ストライク穴１１に進入したラッチボルト９が図７に示すように、トロヨケ１９の側壁内面２７ａに係止される。
【００３９】
係止部１５Ａが、開口枠５に凹設されストライク板１７Ａと一体固定されて覆われるトロヨケ１９の側壁内面２７ａであるので、ストライク穴１１に進入したラッチボルト９をトロヨケ１９の側壁内面２７ａに係止し、係止面積を増大させて、係止強度を高めることができる。
【００４０】
また、本実施の形態におけるストライク板１７Ａは、切欠部７１が形成されていることで、ラッチボルト９に非接触となる。切欠部７１には緩衝板７３が配置される。緩衝板７３は、バネ性を有する金属により形成され、略Ｔ字状に打ち抜かれた後、先端ガイド部７５と基端部７７とが略同方向に折り曲げられる。先端ガイド部７５の表面は、ラッチボルト９の衝接面及び案内面となる。基端部７７は、トロヨケ１９の側壁外面２７ｂに固定される。緩衝板７３は、この基端部７７のみで固定支持されている。つまり、片持ち梁構造で支持される。
【００４１】
緩衝板７３の基端部７７は、側壁外面２７ｂに溶接固定することができる。バネ性を有する金属板からなる緩衝板基端部７７が側壁外面２７ｂに例えばスポット溶接等にて固定されることで、簡素且つ薄い構造で緩衝板が高強度に固定される。これにより、ねじ等を用いた固定に比べ、ストライク板構造全体をコンパクト化することができる。
【００４２】
緩衝板７３の先端ガイド部７５に設けられる耳片７９，７９は、ストライク板１７Ａの裏面に係止して、緩衝板７３のストライク板１７Ａからの浮上を規制する。耳片７９，７９がストライク板１７Ａの裏面に当接し係止することで、緩衝板７３のラッチボルト押圧方向の後退が可能になりながら、ストライク板表面からの緩衝板７３の浮き上がる方向の突出が規制される。
【００４３】
緩衝板７３は、基端部７７がトロヨケ１９の側壁外面２７ｂに固定されて、ストライク板１７Ａの切欠部７１に配置され、閉扉時のラッチボルト９をトロヨケ１９内へ案内する。その際、閉扉時のラッチボルト９が先端ガイド部７５に衝接することで、ラッチボルト９の押圧方向に弾性変形可能となる。すなわち、衝突するラッチボルト９による衝撃が吸収・緩和される。弾性変形した緩衝板７３は、閉扉動作に伴うラッチボルト９の通過後、元の位置に復帰する。
【００４４】
このように、他の実施の形態による戸当たり付ストライク１００Ａによれば、ストライク板１７Ａに切欠部７１を形成し、基端部７７がトロヨケ１９の側壁外面２７ｂに固定されラッチボルト９をトロヨケ１９内へ案内するとともにラッチボルト９が先端ガイド部７５に衝接することでラッチボルト９の押圧方向に弾性変形可能な緩衝板７３を、切欠部７１に配置したので、閉扉時に、扉木口３から突出したラッチボルト９が緩衝板７３に当たると、緩衝板７３がラッチボルト９の押圧方向に弾性変形し、衝突するラッチボルト９による衝撃を緩和できる。この結果、操作部材を操作しない閉扉時の静粛性を高めることができる。
【図面の簡単な説明】
【００４５】
【図１】開口枠の内面に固定された本発明に係る戸当たり付ストライクの外観斜視図である。
【図２】図１に示した戸当たり付ストライクの分解斜視図である。
【図３】戸当たり付ストライクのラッチボルト係止状態における要部平断面図である。
【図４】係止部と戸当たり部の距離を短縮調整したときの要部平断面図である。
【図５】他の実施の形態による戸当たり付ストライクの外観斜視図である。
【図６】図５に示した戸当たり付ストライクの分解斜視図である。
【図７】図５に示した戸当たり付ストライクの要部平断面図である。
【符号の説明】
【００４６】
３…扉木口
５…開口枠
７…内面
９…ラッチボルト
１１…ストライク穴
１３…一つの縦辺
１３ａ…一つの縦辺部
１５，１５Ａ…係止部
１７，１７Ａ…ストライク板
１９…トロヨケ
２７ａ…側壁内面
２７ｂ…側壁外面
４９…段部
５１…突出面
５３…基板部
５５…戸当たり部
５７…戸当たり板
６１…長穴
６３…ネジ
６５…緩衝部材
７１…切欠部
７３…緩衝板
７５…先端ガイド部
７７…基端部
１００，１００Ａ…戸当たり付ストライク
【図１】
2010084424.tif 000003
【図２】
2010084424.tif 000004
【図３】
2010084424.tif 000005
【図４】
2010084424.tif 000006
【図５】
2010084424.tif 000007
【図６】
2010084424.tif 000008
【図７】
2010084424.tif 000009